(57)【要約】      （修正有）【課題】交通の妨げとならず、宣伝、啓蒙、注意等に有効なのぼり旗の構造を提供する。【解決手段】伸縮支柱と、支柱に設けた支持棒で架承するのぼり旗であって、旗の開放下端を地上より１．８ｍを超えた位置とし、そのための目印を支柱に付設する。【選択図】図１
0003175785.tif 000002
【実用新案登録請求の範囲】
【請求項１】
伸縮支柱と、この支柱に設けた少なくとも一本の支持棒で、架承するのぼり旗であって、
この旗の開放下端を、市制の景観条例で規定された認可距離を離れた位置とし、この開放下端を、前記認可距離外側に吊下し、こののぼり旗の架承を、前記景観条例に添った構成としたのぼり旗の構造。
【請求項２】
請求項１に記載ののぼり旗であって、
前記支柱に、前記認可距離を確保した位置を固定する目印を付設する構成としたのぼり旗の構造。
【請求項３】
請求項１に記載ののぼり旗であって、
前記支柱の認可距離を確保した位置を固定して、のぼり旗を架承することで、条例で規定された道路、車道、又は敷地外、柵の如き建物へのはみ出し解消を可能とする構成としたのぼり旗の構造。
【考案の詳細な説明】
【技術分野】
【０００１】
本考案は、条例違反とならず、かつ歩行者、交通の障害等にならず、しかも景観を損ねないのぼり旗の構造に関する。
【背景技術】
【０００２】
昨今、この種ののぼり旗は、敷地内に設置し、旗の部分が歩道、車道等の敷地外にはみ出しても、旗の下側が、地上より１．８ｍを超えている状態を確保する限り、景観条例に該当せず、かつ条例違反でないとの取扱となる。これに鑑み、本考案は、この趣旨に沿ったのぼり旗の構造を提案する。
【０００３】
そこで、従来ののぼり旗には、関連する技術として、以下の文献が一例として挙げられるので、その概要を説明する。これらの文献は、何れも、支持（ポール）が伸縮する構造である。
【０００４】
先ず、特開２００４−１８４７５０号公報の発明であり（文献１とする）、この発明は、入れ子式の支柱（ポール）を、チャック部材の緊締、又は緊締解除を利用して、所定の長さとし、この支柱の長さを利用し、のぼり旗を、所定の位置にセットする構造である。しかし、この発明は、単にのぼり旗を、支柱の両側に、旋回アームを設置し、二枚の旗をセットすること、また、支柱の伸縮は、［００１６］に記載の如く、のぼり旗の長手方向の寸法に合わせるためである。
【０００５】
実用新案登録第３０８８３７９号公報の考案であり（文献２とする）、縦竿が伸縮自在となった構造であり、この考案は、旗の形状を、下側を袈裟切り形状としたことを特徴とする。
【０００６】
次に、実用新案登録第３０９６６９７号公報の考案であり（文献３とする）、この文献３は、前記文献２に準じた考案である。
【０００７】
さらに、特開平８−１９９８５３号公報の発明であり（文献４とする）、この文献４は、前記文献２に準じた発明である。
【０００８】
【特許文献１】特開２００４−１８４７５０号公報
【特許文献２】実用新案登録第３０８８３７９号公報
【特許文献３】実用新案登録第３０９６６９７号公報
【特許文献４】特開平８−１９９８５３号公報
【考案の概要】
【考案が解決しようとする課題】
【０００９】
以上で挙げた、文献１〜４は、支柱の伸縮と、この伸縮に併せて旗を上下できる構造は開示されている。この旗を上下するのは、単純に、視認性の確保と、歩行障害等の回避が、幾分、改善されることに留まっていると考えられる。
【００１０】
従って、本考案が意図する、下記の要望を充足するものでない。
「イ」  条例と、所轄の警察署の要望に応えて、旗の下側が、地上より１．８ｍを超えている状態を確保し、しかも、景観条例に該当せず、かつ条例違反とならない構造を採用する。
「ロ」  上記により、敷地内に設置し、旗の部分が歩道、車道等の敷地外にはみ出しても、景観条例に該当せず、かつ条例違反とならない構造を採用する。
「ハ」  上記により、旗の部分が歩道、車道等の敷地外にはみ出して設置可能となり、その宣伝、啓蒙、注意等の周知徹底に有効となり得る。
「ニ」  はみ出しても、旗の下側が、地上より１．８ｍを超えていることから、歩行者の邪魔とならず、また、交通の視界の妨げにならない構造を採用する。
「ホ」  はみ出しても、旗の下側が、地上より１．８ｍを超えていることから、商店街、各所の敷地内において、安心して、のぼり旗を掲示できる構造を採用する。
「ヘ」  そして、通常は、屋外広告物条例において、広告や啓発用ののぼり旗を始として、その他貼り札、立て看板等は、適用除外となることから、個人の私有地以外には、設置してはいけことになるが、本考案であれば、この条例をクリアーできる。
【課題を解決するための手段】
【００１１】
請求項１の考案では、前記「イ」〜「ヘ」の意図を達成できる。
【００１２】
請求項１は、伸縮支柱と、この支柱に設けた少なくとも一本の支持棒で、架承するのぼり旗であって、
この旗の開放下端を、市制の景観条例で規定された認可距離を離れた位置とし、この開放下端を、前記認可距離外側に吊下し、こののぼり旗の架承を、前記景観条例に添った構成としたのぼり旗の構造である。
【００１３】
また、請求項２の考案では、前記「イ」〜「ヘ」の意図を達成するための、一つの手段を提供する。
【００１４】
請求項２は、請求項１に記載ののぼり旗であって、
前記支柱に、前記認可距離を確保した位置を固定する目印を付設する構成としたのぼり旗の構造である。
【００１５】
さらに、請求項３の考案では、前記「イ」〜「ヘ」の意図を達成するための、認可距離の確保が可能な手段を提供する。
【００１６】
請求項３は、請求項１に記載ののぼり旗であって、
前記支柱の認可距離を確保した位置を固定して、のぼり旗を架承することで、条例で規定された道路、車道、又は敷地外、柵の如き建物へのはみ出し解消を可能とする構成としたのぼり旗の構造である。
【考案の効果】
【００１７】
請求項１の考案は、伸縮支柱と、支柱に設けた少なくとも一本の支持棒で、架承するのぼり旗であって、
旗の開放下端を、市制の景観条例で規定された認可距離を離れた位置とし、開放下端を、認可距離外側に吊下し、のぼり旗の架承を、景観条例に添った構成としたのぼり旗の構造である。
【００１８】
これにより、請求項１では、次のような特徴が可能となる。
「イ」  条例と、所轄の警察署の要望に応えて、旗の下側が、地上より１．８ｍを超えている状態を確保し、しかも、景観条例に該当せず、かつ条例違反とならない構造である。
「ロ」  上記により、敷地内に設置し、旗の部分が歩道、車道等の敷地外にはみ出しても、景観条例に該当せず、かつ条例違反とならない構造である。
「ハ」  上記により、旗の部分が歩道、車道等の敷地外にはみ出して設置可能となり、その宣伝、啓蒙、注意等の周知徹底に有効となる。
「ニ」  はみ出しても、旗の下側が、地上より１．８ｍを超えていることから、歩行者の邪魔とならず、また、交通の視界の妨げにならない構造である。
「ホ」  はみ出しても、旗の下側が、地上より１．８ｍを超えていることから、商店街、各所の敷地内において、安心して、のぼり旗を掲示できる構造である。
「ヘ」  そして、通常は、屋外広告物条例において、広告や啓発用ののぼり旗を始として、その他貼り札、立て看板等は、適用除外となることから、個人の私有地以外には、設置してはいけことになるが、本考案であれば、この条例をクリアーできる。
【００１９】
請求項２の考案は、請求項１に記載ののぼり旗であって、
支柱に、認可距離を確保した位置を固定する目印を付設する構成としたのぼり旗の構造である。
【００２０】
従って、請求項２は、前記「イ」〜「ヘ」の意図を達成するために必要とする、一つの手段を提供できる特徴がある。
【００２１】
請求項３の考案は、請求項１に記載ののぼり旗であって、
支柱の認可距離を確保した位置を固定して、のぼり旗を架承することで、条例で規定された道路、車道、又は敷地外、柵の如き建物へのはみ出し解消を可能とする構成としたのぼり旗の構造である。
【００２２】
従って、請求項３は、前記「イ」〜「ヘ」の意図を達成するために必要とする、認可距離の確保が可能な手段を提供できる特徴がある。
【図面の簡単な説明】
【００２３】
【図１】のぼり旗の一部欠截の拡大斜視図
【図２−１】旗の第一例を示した正面図
【図２−２】旗の第二例を示した正面図
【図２−３】旗の第三例を示した正面図
【図２−４】旗の第四例を示した正面図
【図３】支柱の要部を示した拡大正面図
【図４】お店の敷地内に架承したのぼり旗を、条例で規定された認可距離を確保して、吊下することを示した、縮尺模式図
【図５】ビル店舗の敷地内に架承したのぼり旗を、条例で規定された認可距離を確保して、吊下することを示した、縮尺模式図
【考案を実施するための形態】
【００２４】
１はのぼり旗で、こののぼり旗１は、図１、図２に示した旗２と、この旗２を架承する支柱３、及び支この支柱３に支持、又は取付けた支持棒５とで構成される。以下、各構成部材の好ましい一例を、順次、説明する。
【００２５】
先ず、旗１は、例えば、図２−１〜図２−４に示した各例があり、条例で規定された認可距離６（地上より、１．８ｍ以上）を確保した状態とし、開放下端２ａを、認可距離６エリアに吊下し、旗２の架承を、条例に添った構成とするために、原則として、この旗２は、略方形状であり、望ましくは、正方形Ａとする（通常は、縦長の短冊形状である）。この正方形Ａとすることで、前記認可距離６を確保し、かつ旗２としての役割の一つである、広告、啓蒙等として必要とする、例えば、文字、図柄等を十分に開示、かつ表現できること、又は後方、遠方からの視認性の確保と、のぼり旗１の存在感等を表現できる。また、この正方形Ａの寸法は、７０ｃｍとする。これに準じて、支持棒５の長さは、８５ｃｍとする。そして、こののぼり旗１の周辺で、例えば、一方の縦方向２ｂには支柱３を差込み筒部２００と、また、上端２ｃには、支持棒５に嵌め込む複数の係止片２０１（環状紐、帯等）を有する。尚、図示しないが、例えば、縦方向２ｂの差込み筒部２００を、係止片２０１に変更すること、又は上端２ｃの係止片２０１を、差込み筒部２００に変更する等の構造も可能である。
【００２６】
そして、旗２の正面２−１と背面２−２には、図２−１〜図２−４に示した、図柄２０２、又は文字２０３がそれぞれ表示されている。この図柄２０２と文字２０３の種類と、組合せは自由である。例えば、図柄２０２と文字２０３は、広告、啓蒙、消防・警察署関係の火の用心・防犯等に有益なものであるが、その一方で、青少年に見せたくない、有害なのぼり旗（図示せず）等が流行すると、環境上又、青少年育成上、問題が発生するので、規制される。
【００２７】
支柱３は伸縮可能であり、例えば、入れ子式の構造であり、大小径のパイプ５００、５０１を利用し、この大小径のパイプ５００、５０１は、緊締チャック５０２（緊締具、スライドソケット等）を介して、緊締と、この緊締解除を図り、その長さ５ａを調整する構造である。そして、この大小径のパイプ５００、５０１の何れか、又は双方に目印５０３を設けるか、図示しない目盛りを付設し、その長さ５ａを確定する。従って、この緊締チャック５０２の解除で、目印５０３を利用し、支柱３の長さ５ａを調整し、例えば、旗２の下端２ａと地面ＧＬとの間を、認可距離６（許容範囲）となったら、緊締チャック５０２を緊締する。これにより、のぼり端１が、認可距離６を保って保持される構造である。従って、前述した如く、のぼり旗１は、屋外広告物条例（景観条例）に則った架承が可能となる。また、違法なのぼり旗１の減少と、交通事故・交通／歩行障害等の減少化に役立つことは明白である。その他として、例えば、効果バッグンの啓発のぼり旗１、青少年啓蒙用ののぼり旗１の構造も可能である。
【００２８】
図４、図５の如く、店１０とか、ビル店舗１１においては、その敷地内１３において、のぼり旗１を複数本立てる。例えば、基台１５を利用する。当然に、のぼり端１は、認可距離６を保って保持される。そして、多数ののぼり旗１の設置においては、全く同じ種類ののぼり旗１を複数配置したときは、のぼり旗１による統一感が生まれ、品良く質の良い雰囲気を作ることができる。お店１０のブランドイメージを作る場合はこの配列はよいと考えられる。一方で、同系色ののぼり旗１配列では、のぼり旗１の内容が違っても同系色で揃えた場合、遠目には統一感があり、お客様には、近づいた時はバラエティー豊かな店舗内容をより効果的にアピールすることが可能である。また、図示しないが、１本だけ違う色ののぼり旗１の配列、例えば、複数あるのぼり旗１の中で１本だけ違う色ののぼり旗１を立てれば、勿論、違う色ののぼり旗１がアピールできる。殊に、アピールした商品やメニューがある時はこの配列がよいと考えられる。さらには、違う色ののぼり旗１の配列では、全く違う配色ののぼり旗１を組み合わせた配置は、カラフルで、お店の華やかな雰囲気を演出するのにピッタリである。イベント等の時など人の流れが多く、賑やかに目立ちたい時によいと考えられる。このように、それぞれの配列が可能となる。
【００２９】
本考案ののぼり旗１は、支持棒５に、旗２の各係止片２０１を、順次差込むとともに、支柱３に、この旗２の筒部２００を差込むことで、のぼり旗１ができ上がるので、支柱３を伸張（調整）する。この例では、緊締チャック５０２を開放し、小径のパイプ５０１を伸縮するとともに、目印５０３を利用して、所定の位置とした後に、緊締チャック５０２を利用し、支柱３の長さの固定と、旗２の下端２ａを、認可距離６に収める作業をする。この作業で、のぼり旗１が完成するので、この支柱３を基台１５（塀、建物、樹木等の構造物）にセットすることで、景観条例に合致した（地上より１．８ｍを超えた）のぼり旗１となる。こののぼり旗１は、認可距離６を超えた状態で吊下げられることで、従来の縦長形状ののぼり旗が引起す問題、例えば、旗の下半分が、風で振られたり、なびくこと、殊に強風時における強く振られたり、又はなびくことで、歩行のエリアの減少化と、歩行の邪魔、又は埃の舞上がり等があり、車道１７や歩道１６では、交通の視界の妨げと、事故発生の要因となることが知られている。しかし、本考案では、前述の如く、のぼり旗１は、認可距離６を超えた状態で吊下げられるので、前記従来問題を、略全て解消できること、景観条例に添った構造となること、等の特徴がある。さらには、地上より１．８ｍを超えていることから、商店街、各所の敷地内１３において、安心して、のぼり旗１を掲示できる構造である。
【符号の説明】
【００３０】
１        のぼり旗
２        旗
２００    筒部
２０１    係止片
２０２    図柄
２０３    文字
２ａ      下端
２ｂ      縦方向
２ｃ      上端
２−１    正面
２−２    背面
３        支柱
５        支持棒
５００    大径のパイプ
５０１    小径のパイプ
５０２    緊締チャック
５０３    目印
５ａ      長さ
６        認可距離
１０      店
１１      ビル店舗
１３      敷地内
１５      基台
１６      歩道
１７      車道
Ａ        正方形
ＧＬ      地面
【図１】
0003175785.tif 000003
【図２−１】
0003175785.tif 000004
【図２−２】
0003175785.tif 000005
【図２−３】
0003175785.tif 000006
【図２−４】
0003175785.tif 000007
【図３】
0003175785.tif 000008
【図４】
0003175785.tif 000009
【図５】
0003175785.tif 000010
【手続補正書】
【提出日】平成24年3月14日(2012.3.14)
【手続補正１】
【補正対象書類名】実用新案登録請求の範囲
【補正対象項目名】全文
【補正方法】変更
【補正の内容】
【実用新案登録請求の範囲】
【請求項１】
伸縮支柱と、この支柱に設けた少なくとも一本の支持棒で、架承するのぼり旗であって、
この旗の開放下端を、地上より１．８ｍを超えた位置とし、この旗を、前記１．８ｍの上に吊下する構成としたのぼり旗の構造。
【請求項２】
請求項１に記載ののぼり旗であって、
前記支柱に、前記旗の開放下端を、１．８ｍの上に吊下するための目印を付設する構成としたのぼり旗の構造。
【請求項３】
請求項２に記載ののぼり旗であって、
前記支柱を、大小径のパイプと、緊締チャックで構成するとともに、この大小径のパイプの何れか、又は双方に目印を設け、この目印を合わせ、前記緊締チャックで、この大小径のパイプによる長さを確定し、前記旗を、前記１．８ｍの上に吊下する構成としたのぼり旗の構造。
【手続補正２】
【補正対象書類名】明細書
【補正対象項目名】全文
【補正方法】変更
【補正の内容】
【考案の詳細な説明】
【技術分野】
【０００１】
本考案は、条例違反とならず、かつ歩行者、交通の障害等にならず、しかも景観を損ねないのぼり旗の構造に関する。
【背景技術】
【０００２】
昨今、この種ののぼり旗は、敷地内に設置し、旗の部分が歩道、車道等の敷地外にはみ出しても、旗の下側が、地上より１．８ｍを超えている状態を確保する限り、景観条例に該当せず、かつ条例違反でないとの取扱となる。これに鑑み、本考案は、この趣旨に沿ったのぼり旗の構造を提案する。
【０００３】
そこで、従来ののぼり旗には、関連する技術として、以下の文献が一例として挙げられるので、その概要を説明する。これらの文献は、何れも、支持（ポール）が伸縮する構造である。
【０００４】
先ず、特開２００４−１８４７５０号公報の発明であり（文献１とする）、この発明は、入れ子式の支柱（ポール）を、チャック部材の緊締、又は緊締解除を利用して、所定の長さとし、この支柱の長さを利用し、のぼり旗を、所定の位置にセットする構造である。しかし、この発明は、単にのぼり旗を、支柱の両側に、旋回アームを設置し、二枚の旗をセットすること、また、支柱の伸縮は、［００１６］に記載の如く、のぼり旗の長手方向の寸法に合わせるためである。
【０００５】
実用新案登録第３０８８３７９号公報の考案であり（文献２とする）、縦竿が伸縮自在となった構造であり、この考案は、旗の形状を、下側を袈裟切り形状としたことを特徴とする。
【０００６】
次に、実用新案登録第３０９６６９７号公報の考案であり（文献３とする）、この文献３は、前記文献２に準じた考案である。
【０００７】
さらに、特開平８−１９９８５３号公報の発明であり（文献４とする）、この文献４は、前記文献２に準じた発明である。
【０００８】
【特許文献１】特開２００４−１８４７５０号公報
【特許文献２】実用新案登録第３０８８３７９号公報
【特許文献３】実用新案登録第３０９６６９７号公報
【特許文献４】特開平８−１９９８５３号公報
【考案の概要】
【考案が解決しようとする課題】
【０００９】
以上で挙げた、文献１〜４は、支柱の伸縮と、この伸縮に併せて旗を上下できる構造は開示されている。この旗を上下するのは、単純に、視認性の確保と、歩行障害等の回避が、幾分、改善されることに留まっていると考えられる。
【００１０】
従って、本考案が意図する、下記の要望を充足するものでない。
「イ」  条例と、所轄の警察署の要望に応えて、旗の下側が、地上より１．８ｍを超えている状態を確保し、しかも、景観条例に該当せず、かつ条例違反とならない構造を採用する。
「ロ」  上記により、敷地内に設置し、旗の部分が歩道、車道等の敷地外にはみ出しても、景観条例に該当せず、かつ条例違反とならない構造を採用する。
「ハ」  上記により、旗の部分が歩道、車道等の敷地外にはみ出して設置可能となり、その宣伝、啓蒙、注意等の周知徹底に有効となり得る。
「ニ」  はみ出しても、旗の下側が、地上より１．８ｍを超えていることから、歩行者の邪魔とならず、また、交通の視界の妨げにならない構造を採用する。
「ホ」  はみ出しても、旗の下側が、地上より１．８ｍを超えていることから、商店街、各所の敷地内において、安心して、のぼり旗を掲示できる構造を採用する。
「ヘ」  そして、通常は、屋外広告物条例において、広告や啓発用ののぼり旗を始として、その他貼り札、立て看板等は、適用除外となることから、個人の私有地以外には、設置してはいけことになるが、本考案であれば、この条例をクリアーできる。
【課題を解決するための手段】
【００１１】
請求項１の考案では、前記「イ」〜「ヘ」の意図を達成できる。
【００１２】
請求項１は、伸縮支柱と、この支柱に設けた少なくとも一本の支持棒で、架承するのぼり旗であって、
この旗の開放下端を、地上より１．８ｍを超えた位置とし、この旗を、前記１．８ｍの上に吊下する構成としたのぼり旗の構造である。
【００１３】
また、請求項２の考案では、前記「イ」〜「ヘ」の意図を達成するための、一つの手段を提供する。
【００１４】
請求項２は、請求項１に記載ののぼり旗であって、
前記支柱に、前記旗の開放下端を、１．８ｍの上に吊下するための目印を付設する構成としたのぼり旗の構造である。
【００１５】
さらに、請求項３の考案では、前記「イ」〜「ヘ」の意図を達成するための、認可距離の確保が可能な手段を提供する。
【００１６】
請求項３は、請求項２に記載ののぼり旗であって、
前記支柱を、大小径のパイプと、緊締チャックで構成するとともに、この大小径のパイプの何れか、又は双方に目印を設け、この目印を合わせ、前記緊締チャックで、この大小径のパイプによる長さを確定し、前記旗を、前記１．８ｍの上に吊下する構成としたのぼり旗の構造である。
【考案の効果】
【００１７】
請求項１の考案は、伸縮支柱と、支柱に設けた少なくとも一本の支持棒で、架承するのぼり旗であって、
旗の開放下端を、地上より１．８ｍを超えた位置とし、旗を、１．８ｍの上に吊下する構成としたのぼり旗の構造である。
【００１８】
これにより、請求項１では、次のような特徴が可能となる。
「イ」  条例と、所轄の警察署の要望に応えて、旗の下側が、地上より１．８ｍを超えている状態を確保し、しかも、景観条例に該当せず、かつ条例違反とならない構造である。
「ロ」  上記により、敷地内に設置し、旗の部分が歩道、車道等の敷地外にはみ出しても、景観条例に該当せず、かつ条例違反とならない構造である。
「ハ」  上記により、旗の部分が歩道、車道等の敷地外にはみ出して設置可能となり、その宣伝、啓蒙、注意等の周知徹底に有効となる。
「ニ」  はみ出しても、旗の下側が、地上より１．８ｍを超えていることから、歩行者の邪魔とならず、また、交通の視界の妨げにならない構造である。
「ホ」  はみ出しても、旗の下側が、地上より１．８ｍを超えていることから、商店街、各所の敷地内において、安心して、のぼり旗を掲示できる構造である。
「ヘ」  そして、通常は、屋外広告物条例において、広告や啓発用ののぼり旗を始として、その他貼り札、立て看板等は、適用除外となることから、個人の私有地以外には、設置してはいけことになるが、本考案であれば、この条例をクリアーできる。
【００１９】
請求項２の考案は、請求項１に記載ののぼり旗であって、
支柱に、旗の開放下端を、１．８ｍの上に吊下するための目印を付設する構成としたのぼり旗の構造である。
【００２０】
従って、請求項２は、前記「イ」〜「ヘ」の意図を達成するために必要とする、一つの手段を提供できる特徴がある。
【００２１】
請求項３の考案は、請求項２に記載ののぼり旗であって、
支柱を、大小径のパイプと、緊締チャックで構成するとともに、大小径のパイプの何れか、又は双方に目印を設け、目印を合わせ、緊締チャックで、大小径のパイプによる長さを確定し、旗を、１．８ｍの上に吊下する構成としたのぼり旗の構造である。
【００２２】
従って、請求項３は、前記「イ」〜「ヘ」の意図を達成するために必要とする、認可距離の確保が可能な手段を提供できる特徴がある。
【図面の簡単な説明】
【００２３】
【図１】のぼり旗の一部欠截の拡大斜視図
【図２−１】旗の第一例を示した正面図
【図２−２】旗の第二例を示した正面図
【図２−３】旗の第三例を示した正面図
【図２−４】旗の第四例を示した正面図
【図３】支柱の要部を示した拡大正面図
【図４】お店の敷地内に架承したのぼり旗を、条例で規定された認可距離を確保して、吊下することを示した、縮尺模式図
【図５】ビル店舗の敷地内に架承したのぼり旗を、条例で規定された認可距離を確保して、吊下することを示した、縮尺模式図
【考案を実施するための形態】
【００２４】
１はのぼり旗で、こののぼり旗１は、図１、図２に示した旗２と、この旗２を架承する支柱３、及び支この支柱３に支持、又は取付けた支持棒５とで構成される。以下、各構成部材の好ましい一例を、順次、説明する。
【００２５】
先ず、旗１は、例えば、図２−１〜図２−４に示した各例があり、条例で規定された認可距離６（地上より、１．８ｍ以上）を確保した状態とし、開放下端２ａを、認可距離６エリアに吊下し、旗２の架承を、条例に添った構成とするために、原則として、この旗２は、略方形状であり、望ましくは、正方形Ａとする（通常は、縦長の短冊形状である）。この正方形Ａとすることで、前記認可距離６を確保し、かつ旗２としての役割の一つである、広告、啓蒙等として必要とする、例えば、文字、図柄等を十分に開示、かつ表現できること、又は後方、遠方からの視認性の確保と、のぼり旗１の存在感等を表現できる。また、この正方形Ａの寸法は、７０ｃｍとする。これに準じて、支持棒５の長さは、８５ｃｍとする。そして、こののぼり旗１の周辺で、例えば、一方の縦方向２ｂには支柱３を差込み筒部２００と、また、上端２ｃには、支持棒５に嵌め込む複数の係止片２０１（環状紐、帯等）を有する。尚、図示しないが、例えば、縦方向２ｂの差込み筒部２００を、係止片２０１に変更すること、又は上端２ｃの係止片２０１を、差込み筒部２００に変更する等の構造も可能である。
【００２６】
そして、旗２の正面２−１と背面２−２には、図２−１〜図２−４に示した、図柄２０２、又は文字２０３がそれぞれ表示されている。この図柄２０２と文字２０３の種類と、組合せは自由である。例えば、図柄２０２と文字２０３は、広告、啓蒙、消防・警察署関係の火の用心・防犯等に有益なものであるが、その一方で、青少年に見せたくない、有害なのぼり旗（図示せず）等が流行すると、環境上又、青少年育成上、問題が発生するので、規制される。
【００２７】
支柱３は伸縮可能であり、例えば、入れ子式の構造であり、大小径のパイプ５００、５０１を利用し、この大小径のパイプ５００、５０１は、緊締チャック５０２（緊締具、スライドソケット等）を介して、緊締と、この緊締解除を図り、その長さ５ａを調整する構造である。そして、この大小径のパイプ５００、５０１の何れか、又は双方に目印５０３を設けるか、図示しない目盛りを付設し、その長さ５ａを確定する。従って、この緊締チャック５０２の解除で、目印５０３を利用し、支柱３の長さ５ａを調整し、例えば、旗２の下端２ａと地面ＧＬとの間を、認可距離６（許容範囲）となったら、緊締チャック５０２を緊締する。これにより、のぼり端１が、認可距離６を保って保持される構造である。従って、前述した如く、のぼり旗１は、屋外広告物条例（景観条例）に則った架承が可能となる。また、違法なのぼり旗１の減少と、交通事故・交通／歩行障害等の減少化に役立つことは明白である。その他として、例えば、効果バッグンの啓発のぼり旗１、青少年啓蒙用ののぼり旗１の構造も可能である。
【００２８】
図４、図５の如く、店１０とか、ビル店舗１１においては、その敷地内１３において、のぼり旗１を複数本立てる。例えば、基台１５を利用する。当然に、のぼり端１は、認可距離６を保って保持される。そして、多数ののぼり旗１の設置においては、全く同じ種類ののぼり旗１を複数配置したときは、のぼり旗１による統一感が生まれ、品良く質の良い雰囲気を作ることができる。お店１０のブランドイメージを作る場合はこの配列はよいと考えられる。一方で、同系色ののぼり旗１配列では、のぼり旗１の内容が違っても同系色で揃えた場合、遠目には統一感があり、お客様には、近づいた時はバラエティー豊かな店舗内容をより効果的にアピールすることが可能である。また、図示しないが、１本だけ違う色ののぼり旗１の配列、例えば、複数あるのぼり旗１の中で１本だけ違う色ののぼり旗１を立てれば、勿論、違う色ののぼり旗１がアピールできる。殊に、アピールした商品やメニューがある時はこの配列がよいと考えられる。さらには、違う色ののぼり旗１の配列では、全く違う配色ののぼり旗１を組み合わせた配置は、カラフルで、お店の華やかな雰囲気を演出するのにピッタリである。イベント等の時など人の流れが多く、賑やかに目立ちたい時によいと考えられる。このように、それぞれの配列が可能となる。
【００２９】
本考案ののぼり旗１は、支持棒５に、旗２の各係止片２０１を、順次差込むとともに、支柱３に、この旗２の筒部２００を差込むことで、のぼり旗１ができ上がるので、支柱３を伸張（調整）する。この例では、緊締チャック５０２を開放し、小径のパイプ５０１を伸縮するとともに、目印５０３を利用して、所定の位置とした後に、緊締チャック５０２を利用し、支柱３の長さの固定と、旗２の下端２ａを、認可距離６に収める作業をする。この作業で、のぼり旗１が完成するので、この支柱３を基台１５（塀、建物、樹木等の構造物）にセットすることで、景観条例に合致した（地上より１．８ｍを超えた）のぼり旗１となる。こののぼり旗１は、認可距離６を超えた状態で吊下げられることで、従来の縦長形状ののぼり旗が引起す問題、例えば、旗の下半分が、風で振られたり、なびくこと、殊に強風時における強く振られたり、又はなびくことで、歩行のエリアの減少化と、歩行の邪魔、又は埃の舞上がり等があり、車道１７や歩道１６では、交通の視界の妨げと、事故発生の要因となることが知られている。しかし、本考案では、前述の如く、のぼり旗１は、認可距離６を超えた状態で吊下げられるので、前記従来問題を、略全て解消できること、景観条例に添った構造となること、等の特徴がある。さらには、地上より１．８ｍを超えていることから、商店街、各所の敷地内１３において、安心して、のぼり旗１を掲示できる構造である。
【符号の説明】
【００３０】
１        のぼり旗
２        旗
２００    筒部
２０１    係止片
２０２    図柄
２０３    文字
２ａ      下端
２ｂ      縦方向
２ｃ      上端
２−１    正面
２−２    背面
３        支柱
５        支持棒
５００    大径のパイプ
５０１    小径のパイプ
５０２    緊締チャック
５０３    目印
５ａ      長さ
６        認可距離
１０      店
１１      ビル店舗
１３      敷地内
１５      基台
１６      歩道
１７      車道
Ａ        正方形
ＧＬ      地面